(57)【特許請求の範囲】
【請求項１】
ピッチャーズマウンド（２）とホームベース（３）とバッターボックス（４）とファウストベース（５）とを配したネット囲設グランド（１）の前記ホームベース（３）の背後にストライクボックス（６）を設け、該ストライクボックス（６）の下部に球落下筒（８）を接続してその排出部（８ａ）をストライクボックス（６）の背後に形成した下向傾斜面（７）に球落下口（９ａ）を介して連設した集球ゾーン（９）に臨ませ、該集球ゾーン（９）に揚球搬送手段（１０）を備えてその上部にピッチャーズマウンド（２）に向けた球放擲手段（１１）を設け、ファウストベース（５）の後部には送球ホール（１２）を設け、前記グランド（１）にはヒットホール（１３）、ホームランホール（１４）、スリーベースホール（１５）、ツーベースホール（１６）を設けて成る疑似ベースボール施設。
【請求項２】
ピッチャーズマウンド（２）と、ホームベース（３）と、バッターボックス（４）と、フットスイッチ（５ａ）を接続したファウストベース（５）とを配したネット囲設グランド（１）の前記ホームベース（３）の背後にストライクボックス（６）を設け、該ストライクボックス（６）の下部に球感知弁（１８）を介して球落下筒（８）を接続し、さらにその球落下筒（８）の排出部（８ａ）をストライクボックス（６）の背後に形成した下向傾斜面（７）に、球感知弁（１８）を備えた球落下口（９ａ）を介して連設した集球ゾーン（９）に臨ませ、該集球ゾーン（９）には該集球ゾーン（９）を底部として垂直方向に一個宛揚球搬送手段（１０）を備えてその上部折返し点にピッチャーズマウンド（２）に向けた球放擲手段（１１）を設け、前記ファウストベース（５）の後方部位には送球ホール（１２）を設け、前記グランド（１）の後方部位と両側中間部位にはヒットホール（１３）を、後方部位には上方から順次ホームランホール（１４）、スリーベースホール（１５）、ツーベースホール（１６）を設けるとともにカウント等のプレー結果を表示する電光表示装置（１７）を設け、さらに前記各ホール（１２）、（１３）、（１４）、（１５）、（１６）の直下部位及び集球ゾーン（９）の球落下口（９ａ）には球感知弁（１８）を介して前記集球ゾーン（９）へ通ずる傾斜パイプ乃至傾斜樋（１９）を連結し、前記各球感知弁（１８）と前記電光表示装置（１７）とを電気的に接続し、さらにグランド（１）内の適所にボール表示「Ｂ」をストライク表示「Ｓ」に修正する機能を含むマニュアル切換え入力手段２３を備えた、疑似ベースボール施設。
【請求項３】
ストライクボックス（６）の入口（６ａ）が、水平方向に対し上方へ角度調整可能に構成された請求項１又は２記載の疑似ベースボール施設。
【請求項４】
一個宛揚球搬送手段（１０）が、無端の搬送バケットコンベア（２０）である請求項１乃至３のうちいずれか一項記載の疑似ベースボール施設。
【請求項５】
球放擲手段（１１）が、球導入口（２１ａ）を一個宛揚球搬送手段（１０）側に、球導出口（２１ｂ）を放擲筒（２１ｃ）へ臨ませた上下一対の弾発ローラ（２１ｄ），（２１ｄ）から成る球弾発装置（２１）である請求項１乃至４のうちいずれか一項記載の疑似ベースボール施設。
【請求項６】
バッターボックス（４）の両側コーナーに、ダッグアウト（２２）を設けて成る請求項１乃至５のうちいずれか一項記載の疑似ベースボール施設。
【発明の詳細な説明】
【０００１】
【発明が属する技術分野】
本発明は、屋内外を問わず、少人数で野球のエッセンスが充分楽しめるレジャーを主眼とした疑似ベースボール施設に関する。
【０００２】
【従来の技術】
これまでにあるバッテイングセンターは、文字通りバッテイングのみのトレーニングであり、バッテイング自体を楽しむことは出来ても、野球ゲーム全体を楽しむものではない。かと言って野球ゲーム全体を楽しむにはそれなりのスペースが必要で、都会地や普通のゲームセンターでは望むべくもない。本式となれば員数（敵味方総数最低１８人）も必要となる。
【０００３】
【発明が解決しようとする課題】
本発明は、小規模なスペースで、二人以上居れば野球のエッセンスを充分楽しめるレジャー施設を提供する。
より具体的には、敵味方２チーム（一人対一人でＯＫ）に別れて、野球ゲームのうち最もスリルと人気のあるピッチャ一投球とバッティング一及び一塁出塁のプレーのみを楽しんでもらい、遊びではやりたがらない審判とかキャッチャーを機械装置に任せ、あとは各プレー結果をマニュアル或いは電光表示装置に掲示しながら勝敗を決っしていくシズテムとする。
【０００４】
【課題を解決するための手段】
上記目的を達成するため、ピッチャーズマウンド２とホームベース３とバッターボックス４とファウストベース５とを配したネット囲設グランド１を屋内又は屋外に設置する。グランド１の面積は、例えば幅１４メートル、奥行２５メートルぐらいとする。
【０００５】
そして、前記ホームベース３の背後にストライクボックス６を設け、該ストライクボックス６の下部に球落下筒８を接続してその排出部８ａをストライクボックス６の背後に形成した下向傾斜面７に球落下口９ａを介して連設した集球ゾーン９の底部に臨ませ、該集球ゾーン９に揚球搬送手段１０を備えてその上部にピッチャーズマウンド２に向けた球放擲手段１１を設ける。
【０００６】
そしてさらに、ファウストベース５の後部には送球ホール１２を設け、前記グランド１にはヒットホール１３、ホームランホール１４、スリーベースホール１５、ツーベースホール１６を設けて疑似ベースボール施設を構成する。
【０００７】
また、ピッチャーズマウンド２と、ホームベース３と、バッターボックス４と、電光表示装置１７に通電するフットスイッチ５ａを接続したファウストベース５とを配したネット囲設グランド１を屋内又は屋外に設置する。
【０００８】
そして、前記ホームベース３の背後にストライクボックス６を設け、該ストライクボックス６の下部に球感知弁１８を介して球落下筒８を接続し、さらにその球落下筒８の排出部８ａをストライクボックス６の背後に形成した下向傾斜面７に、球感知弁１８を備えた球落下口９ａを介して連設した集球ゾーン９の底部に臨ませ、該集球ゾーン９には該集球ゾーン９を底部として垂直方向に一個宛揚球搬送手段１０を備えてその上部折返し点にピッチャーズマウンド２に向けた球放擲手段１１を設ける。
【０００９】
そしてまた、前記ファウストベース５の後方部位には送球ホール１２を設け、前記グランド１の後方部位と両側中間部位にはヒットホール１３を、後方部位には上方から順次ホームランホール１４、スリーベースホール１５、ツーベースホール１６を設ける。
【００１０】
さらに、前記グランド１にはカウント等のプレー結果を表示する電光表示装置１７を設け、前記各ホール１２、１３、１４、１５、１６の直下部位及び集球ゾーン９の球落下口９ａには球感知弁１８を介して前記集球ゾーン９へ通ずる傾斜パイプ乃至傾斜樋１９を連結し、前記各球感知弁１８と前記電光表示装置１７とを電気的に接続し、さらにグランド１内の適所にボール表示「Ｂ」をストライク表示「Ｓ」に修正する機能を含むマニュアル切換え入力手段２３を備えて、疑似ベースボール施設を構成する。
【００１１】
そして上記各構成において、ストライクボックス６の入口６ａが、水平方向に対し上方へ角度調整可能に構成された疑似ベースボール施設である。
【００１２】
そしてまた上記各構成において、一個宛揚球搬送手段１０が、無端の搬送バケットコンベア２０である疑似ベースボール施設である。
【００１３】
さらに上記各構成において、球放擲手段１１が、球導入口２１ａを一個宛揚球搬送手段１０側に、球導出口２１ｂを放擲筒２１ｃへ臨ませた上下一対の弾発ローラ２１ｄ，２１ｄから成る球弾発装置２１である疑似ベースボール施設である。
【００１４】
さらにまた上記各構成において、バッターボックス４の両側コーナーに、ダッグアウト２２を設けて成る疑似ベースボール施設である。
【００１５】
【ゲームの進行】
電光表示装置１７を組込んだ請求項２以下の態様において、敵味方各二人計四人で楽しむ場合を例に取って説明する。
（イ）後攻側は、一人がピッチャーズマウンド２に立ち、もう一人がファウストベース５その他の守備位置を守る。
（ロ）先攻側は、一人がバッターボックス４に立ち、もう一人はダッグアウト２２に待機する。この際、大人又は子供によりストライクボックス６の入口６ａの角度を適宜調整するものとする。
【００１６】
（ハ）ピッチャーが投球すると、バッターが見逃し、空振り、ファールチップをしてストライクボックス６に入った球は、球感知弁１８を作動させて球落下筒８を経て集球ゾーン９へ排出され、前記球感知弁１８により電光表示装置１７にストライク表示「Ｓ」が点灯される。他方、ボックス６から外れたボール球は地面に落ちて直接集球ゾーン９の球落下口９ａへ転がり落ち、球感知弁１８を作動させて電光表示装置１７にボール表示「Ｂ」が点灯される。この際、ボックス６から外れた空振り球、ファール球も同じく集球ゾーン９に導かれるが、そのストライクカウントは機械的に感知されないので、ダックアウト２２等に備えたマニュアル切換え入力手段２３を操作して、ボール表示「Ｂ」を「Ｓ」に修正するものとする。
【００１７】
（ニ）バッターがヒットしてゴロとなった場合は、ピッチャー又は守備者が直接捕り、送球ホール１２に送球乃至走者にタッチして、走者の着塁より早かった場合アウト、遅かった場合はセーフとなる。セーフの場合、バッターは二塁出塁がないから、ダッグアウトに帰還する。そして四回のセーフが重なった場合一点、或いは各ヒットとの組合わせで一点乃至一点以上を獲得した場合はその得点が電光表示装置１７の得点表に点灯加算されていく。なおフライを捕った場合にはその場でアウトとなることは言うまでもない。この場合もアウトが機械装置ではキャッチされないので、マニュアル切換え入力手段２３を操作してアウト表示「Ｏ」を点灯させる。
（ホ）他方、飛球がヒットホール１３、ホームランホール１４、スリーベースホール１５、ツーベースホール１６のいずれかに飛込んだ場合には、それぞれの結果が球感知弁１８の作用により電光表示装置１７に点灯される。そして各ホールに落下した球は、集球ゾーン９へ向って敷設された傾斜パイプ乃至傾斜樋１９を経て最終的に集球ゾーン９へ集められる。
（ヘ）かくしてスリーアウトとなったら攻守交代し、設定した回を終了したら、得点の合計で勝敗を決する。
【００１８】
なお、以上は電光表示装置とマニュアル切換え入力手段を組込んだ態様の施設におけるゲームの推移を説明したが、多人数でゲームする場合は、必ずしも電光表示装置とマニュアル切換え入力手段を使用しないで（電源スイッチを切って）、全員の目視とダッグアウトにおける得点等の記入で充分であろう。
【００１９】
【発明の効果】
本発明は以上のようで、比較的小規模なスペースで、二人以上居れば充分楽しめる屋内外のレジャー施設を提供する。野球ゲームのうち最もスリルと人気のあるピッチャー投球とバッティング一及び一塁出塁のプレーを地で行き、遊びではやりたがらない審判とかキャッチャーを機械装置に任せ、ホームランを含む各ヒットも評価されるから、充分野球のエッセンスを楽しむことができる。
ゲーム進行としては、電光表示装置（マニュアル切換え入力手段含む）を使用する場合と得点等の記憶、記録による場合とのいずれも可能である。
【００２０】
使用する球は、スペースと子供を含むプレーヤーの安全性を考慮して、軟球乃至それより若干柔らかいものにすることが望ましい。
家族全員で、あるいは家族対向で、友人同士で等、人気ある準スポーツとなること請合いであり、健康にも資する。
【図面の簡単な説明】
【図１】平面図
【図２】遠近法に基づくグランド内正面図
【図３】遠近法に基づくグランド内背面図
【図４】ストライクボックス周辺と、集球ゾーンと、揚球搬送手段（球放擲手段含む）の縦断側面図
【図５】ホームベース近辺部分の拡大平面図
【符号の説明】
１      ネット囲設グランド
２      ピッチャーズマウンド
３      ホームベース、
４      バッターボックス
５      ファウストベース
５ａ    フットスイッチ
６      ストライクボックス
６ａ    入口
７      下向傾斜面
８      球落下筒
８ａ    排出部
９      集球ゾーン
９ａ    球落下口
１０      一個宛揚球搬送手段
１１      球放擲手段
１２      送球ホール
１３      ヒットホール
１４      ホームランホール
１５      スリーベースホール
１６      ツーベースホール
１７      電光表示装置
１８      球感知弁
１９      傾斜パイプ乃至傾斜樋
２０      搬送バケットコンベア
２１      球弾発装置
２１ａ    球導入口
２１ｂ    球導出口
２１ｃ    放擲筒
２１ｄ    弾発ローラ
２２      ダッグアウト
２３      マニュアル切換え入力手段
【図１】
0004219038.tif 000002
【図２】
0004219038.tif 000003
【図３】
0004219038.tif 000004
【図４】
0004219038.tif 000005
【図５】
0004219038.tif 000006